(57)【要約】【課題】薄型テレビを壁面に簡易に設置できると共に、インテリアとしての美観に優れており、位置調整が容易で、安定性や耐震性にも優れる壁面取付け構造を提供する。【解決手段】薄型テレビ１０を室内の壁面１１に沿って上下方向に位置調整可能に取り付けるための取付け構造であって、端部が固定されて壁面１１に沿って上下方向に延設配置される２本の索条体１２と、各索条体１２にスライド移動可能に係着されると共に、薄型テレビ１０の背面側に固定され、且つ壁面１１に向けて突出する間隔保持脚部１４が上下２箇所に設けられた取付け支持具１３とからなる。取付け支持具１３は、索条体１２に対する位置調整が可能な第１索条体係着金具１５を介して索条体１２にスライド移動可能に係着されており、索条体１２の下端部は、索条体１２に対する位置調整が可能な第２索条体係着金具１６を介して壁面１１における薄型テレビ１０の下方に固定されている。【選択図】図２
2011066841.tif 000002
【特許請求の範囲】
【請求項１】
薄型テレビ等のディスプレイ物品を壁面に沿って上下方向に位置調整可能に取り付けるためのディスプレイ物品の壁面取付け構造であって、
前記壁面に沿って上下方向に延設配置されると共に、少なくとも一方の端部が前記壁面における前記ディスプレイ物品の取付け位置の上方及び／又は下方に各々固定される少なくとも２本の索条体と、
該少なくとも２本の索条体が各々係着されると共に、前記ディスプレイ物品の背面側に固定されて前記ディスプレイ物品を支持し、且つ前記ディスプレイ物品とは反対側の前記壁面に向けて突出する間隔保持脚部が少なくとも上下２箇所に設けられた少なくとも２体の取付け支持具とからなり、
前記壁面における前記ディスプレイ物品の取付け位置の上方及び／又は下方の固定位置と、前記取付け支持具との間に張設される前記索条体は、該索条体に対する位置調整機能及び位置固定機能を有する索条体係着金具にスライド移動可能に係着されていることにより、前記壁面における固定位置と前記取付け支持具との間の張設長さを調整可能となってるディスプレイ物品の壁面取付け構造。
【請求項２】
前記壁面に沿って上下方向に延設配置される前記少なくとも２本の索条体は、上端部が前記壁面における前記ディスプレイ物品の取付け位置の上方に、下端部が前記壁面における前記ディスプレイ物品の取付け位置の下方に各々固定されて、前記ディスプレイ物品の取付け位置の上方と下方の間に跨って延設しており、
前記取付け支持具は、当該取付け支持具に設けられた、前記索条体に対する位置調整機能及び位置固定機能を有する第１索条体係着金具を介して前記索条体にスライド移動可能に係着されており、前記索条体の上端部及び下端部の少なくともいずれか一方は、前記壁面に取り付けられた、前記索条体に対する位置調整機能及び位置固定機能を有する第２索条体係着金具を介して前記壁面における前記ディスプレイ物品の取付け位置の上方及び／又は下方に固定されている請求項１記載のディスプレイ物品の壁面取付け構造。
【請求項３】
前記索条体の端部は、索条体係着金具を介して前記壁面における前記ディスプレイ物品の取付け位置の上方及び／又は下方に固定されるようになっており、
前記壁面には、前記ディスプレイ物品の取付け位置の上方において横方向に配置されると共に、前記索条体係着金具を横方向にスライド可能に係止させるスライド係止溝を備える上部係止レール部材と、前記ディスプレイ物品の取付け位置の下方において横方向に配置されると共に、前記索条体係着金具を横方向にスライド可能に係止させるスライド係止溝を備える下部係止レール部材とが取り付けられており、
前記索条体係着金具を上下の前記スライド係止溝に沿って各々スライド移動させることで、前記索条体及び前記ディスプレイ物品を左右方向に位置調整可能となっている請求項１又は２記載のディスプレイ物品の壁面取付け構造。
【発明の詳細な説明】
【技術分野】
【０００１】
本発明は、薄型テレビ等のディスプレイ物品を壁面に沿って上下方向に位置調整可能に取り付けるためのディスプレイ物品の壁面取付け構造に関する。
【背景技術】
【０００２】
ディスプレイ物品として、例えばテレビは、近年、薄型化、大型化が図られており、またインテリアの一部として美観に優れた配置方法が求められる傾向にある。従来のテレビは、スタンド等を使用して床に置くタイプのものが主流であったが、これに代えて、例えば金物を用いて室内の壁面に掛けた状態で設置することで、インテリアとしての機能を高めることが要望されている。
【０００３】
一方、一般家庭でテレビを壁面に設置しようとすると、例えば各テレビメーカー専用の高価な壁掛け金物が必要になると共に、これらの壁掛け金物はテレビ毎に仕様が異なっていて汎用性に劣ることになる。また、取り付け部分の壁面の補強が必要となったり、ねじ等の打込み固定用の金物を取付け時に使用することになるため、壁面を傷つけてしまう場合が有る。さらに、テレビを一度壁面に設置した後は、取付け位置の調整や移動を行うことが困難である。
【０００４】
これに対し、薄型テレビを室内の壁面に設置するための、汎用性を有するテレビ壁掛け用ラック（例えば、特許文献１参照）や、ピクチャーレールを利用して、テレビをワイヤー等の索条体を介して吊り下げた状態で壁面に設置するようにした取付け金具も開発されている。
【先行技術文献】
【特許文献】
【０００５】
【特許文献１】特開２００６−２８７５６２号公報
【発明の概要】
【発明が解決しようとする課題】
【０００６】
しかしながら、上記従来のテレビ壁掛け用ラックでは、その構成が複雑且つ大掛かりなものとなるため、作業が煩雑でコストがかかると共に、室内の壁面に現れる部分が多くなって、インテリアとしての美観に劣ることになる。また、ピクチャーレールを利用してテレビを吊り下げた状態で壁面に設置する取付け金具では、簡易にテレビを設置することができ、室内の壁面に現れる部分も少なくなって美観にも優れるが、地震時の揺れ等に対しては十分な配慮がなされておらず、設置後の安定性や耐震性に劣ることになる。
【０００７】
本発明は、薄型テレビ等のディスプレイ物品を壁面に簡易に且つ安価に設置することができると共に、インテリアとしての美観に優れており、またディスプレイ物品の位置調整が容易で、安定性や耐震性にも優れるディスプレイ物品の壁面取付け構造を提供することを目的とする。
【課題を解決するための手段】
【０００８】
本発明は、薄型テレビ等のディスプレイ物品を壁面に沿って上下方向に位置調整可能に取り付けるためのディスプレイ物品の壁面取付け構造であって、前記壁面に沿って上下方向に延設配置されると共に、少なくとも一方の端部が前記壁面における前記ディスプレイ物品の取付け位置の上方及び／又は下方に各々固定される少なくとも２本の索条体と、該少なくとも２本の索条体が各々係着されると共に、前記ディスプレイ物品の背面側に固定されて前記ディスプレイ物品を支持し、且つ前記ディスプレイ物品とは反対側の前記壁面に向けて突出する間隔保持脚部が少なくとも上下２箇所に設けられた少なくとも２体の取付け支持具とからなり、前記壁面における前記ディスプレイ物品の取付け位置の上方及び／又は下方の固定位置と、前記取付け支持具との間に張設される前記索条体は、該索条体に対する位置調整機能及び位置固定機能を有する索条体係着金具にスライド移動可能に係着されていることにより、前記壁面における固定位置と前記取付け支持具との間の張設長さを調整可能となってるディスプレイ物品の壁面取付け構造を提供することにより、上記目的を達成したものである。
【０００９】
そして、本発明のディスプレイ物品の壁面取付け構造は、前記壁面に沿って上下方向に延設配置される前記少なくとも２本の索条体が、上端部が前記壁面における前記ディスプレイ物品の取付け位置の上方に、下端部が前記壁面における前記ディスプレイ物品の取付け位置の下方に各々固定されて、前記ディスプレイ物品の取付け位置の上方と下方の間に跨って延設しており、前記取付け支持具は、当該取付け支持具に設けられた、前記索条体に対する位置調整機能及び位置固定機能を有する第１索条体係着金具を介して前記索条体にスライド移動可能に係着されており、前記索条体の上端部及び下端部の少なくともいずれか一方は、前記壁面に取り付けられた、前記索条体に対する位置調整機能及び位置固定機能を有する第２索条体係着金具を介して前記壁面における前記ディスプレイ物品の取付け位置の上方及び／又は下方に固定されていることが好ましい。
【００１０】
また、本発明のディスプレイ物品の壁面取付け構造は、前記索条体の端部が、索条体係着金具を介して前記壁面における前記ディスプレイ物品の取付け位置の上方及び／又は下方に固定されるようになっており、前記壁面には、前記ディスプレイ物品の取付け位置の上方において横方向に配置されると共に、前記索条体係着金具を横方向にスライド可能に係止させるスライド係止溝を備える上部係止レール部材と、前記ディスプレイ物品の取付け位置の下方において横方向に配置されると共に、前記索条体係着金具を横方向にスライド可能に係止させるスライド係止溝を備える下部係止レール部材とが取り付けられており、前記索条体係着金具を上下の前記スライド係止溝に沿って各々スライド移動させることで、前記索条体及び前記ディスプレイ物品を左右方向に位置調整可能となっていることが好ましい。
【発明の効果】
【００１１】
本発明のディスプレイ物品の壁面取付け構造によれば、薄型テレビ等のディスプレイ物品を壁面に簡易に且つ安価に設置することができると共に、インテリアとしての美観に優れており、またディスプレイ物品の位置調整が容易で、安定性や耐震性にも優れる。
【図面の簡単な説明】
【００１２】
【図１】本発明の好ましい一実施形態に係るディスプレイ物品の壁面取付け構造を用いて薄型テレビを壁面に沿って取り付けた状態を説明する略示斜視図である。
【図２】本発明の好ましい一実施形態に係るディスプレイ物品の壁面取付け構造の構成を説明する薄型テレビの側方から見た断面図である。
【図３】本発明の好ましい一実施形態に係るディスプレイ物品の壁面取付け構造の構成を説明する薄型テレビの背面から見た背面図である。
【図４】取付け支持具の構成を説明する、（ａ）は側面図、（ｂ）は（ａ）のＡ−Ａに沿った正面図、（ｃ）は（ｂ）のＢ−Ｂに沿った断面図である。
【図５】（ａ）は第１索条体係着金具の取付け状態を説明する部分正面図、（ｂ）は（ａ）のＣ−Ｃに沿った断面図である。
【図６】（ａ）は下部ガイド孔の取付け状態を説明する部分正面図、（ｂ）は（ａ）のＤ−Ｄに沿った断面図である。
【図７】（ａ）は間隔保持脚部の取付け状態を説明する、図４（ａ）のＥ−Ｅに沿った断面図である。
【図８】索条体の上端部の壁面への固定状態を説明する、図２のＦ部拡大図である。
【図９】索条体の上端部の壁面への固定状態を説明する、図２のＧ部拡大図である。
【図１０】他の実施形態に係るディスプレイ物品の壁面取付け構造の構成を説明する要部側面図である。
【発明を実施するための形態】
【００１３】
本発明の好ましい一実施形態に係るディスプレイ物品の壁面取付け構造は、図１に示すように、ディスプレイ物品として例えば薄型テレビ１０を、室内の壁面１１に沿って、簡易に且つ安定した状態で、室内のインテリアの一部として見栄え良く取り付けることを可能にする構造として採用されたものである。
【００１４】
すなわち、本実施形態のディスプレイ物品の壁面取付け構造は、薄型テレビ１０を室内の壁面１１に沿って上下方向に位置調整可能に取り付けるための取付け構造であって、図２及び図３にも示すように、壁面１１に沿って上下方向に延設配置されると共に、少なくとも一方の端部１２ａ，１２ｂが壁面１１における薄型テレビ１０の取付け位置の上方及び／又は下方に各々固定される少なくとも２本の索条体１２と、これらの少なくとも２本の索条体１２が各々係着されると共に、薄型テレビ１０の背面側に固定されて薄型テレビ１０を支持し、且つ薄型テレビ１０とは反対側の壁面１１に向けて突出する間隔保持脚部１４が少なくとも上下２箇所に設けられた少なくとも２体（本実施形態では２体）の取付け支持具１３とからなる。そして、壁面１１における薄型テレビ１０の取付け位置の上方及び／又は下方の固定位置と、取付け支持具１３との間に張設される索条体１２は、索条体１２に対する位置調整機能及び位置固定機能を有する索条体係着金具１５，１６にスライド移動可能に係着されていることにより、壁面１１における固定位置と取付け支持具１３との間の張設長さを調整可能となってる。
【００１５】
また、本実施形態では、壁面２２に沿って上下方向に延設配置される少なくとも２本（本実施形態では２本）の索条体１２が、上端部１２ａが壁面１１における薄型テレビ１０の取付け位置の上方に、下端部１２ｂが壁面１１における薄型テレビ１０の取付け位置の下方に各々固定されて、薄型テレビ１０の取付け位置の上方と下方の間に跨って延設しており、取付け支持具１３は、当該取付け支持具１３に設けられた、索条体１２に対する位置調整機能及び位置固定機能を有する第１索条体係着金具１５を介して索条体１２にスライド移動可能に係着されており、索条体１２の上端部１２ａ及び下端部１２ｂの少なくともいずれか一方（本実施形態では下端部）は、壁面１１に取り付けられた、索条体１２に対する位置調整機能及び位置固定機能を有する第２索条体係着金具１６を介して壁面１１における薄型テレビ１０の取付け位置の上方及び／又は下方（本実施形態では下方）に固定されている。
【００１６】
さらに、本実施形態では、索条体１２の上端部１２ａ及び下端部１２ｂは、索条体係着金具１７，１６を介して壁面１１における薄型テレビ１０の取付け位置の上方及び下方に固定されるようになっており、壁面１１には、薄型テレビ１０の取付け位置の上方において横方向に配置されると共に、上部索条体係着金具１７を横方向にスライド可能に係止させるスライド係止溝１９を備える上部係止レール部材１８と、薄型テレビ１０の取付け位置の下方において横方向に配置されると共に、下部索条体係着金具（第２索条体係着金具）１６を横方向にスライド可能に係止させるスライド係止溝２１を備える下部係止レール部材２０とが取り付けられており、上部索条体係着金具１７及び第２索条体係着金具１６を上下のスライド係止溝１９，２１に沿って各々スライド移動させることで、索条体１２及び薄型テレビ１０を左右方向に位置調整可能となっている。
【００１７】
本実施形態では、壁面取付け構造を構成する索条体１２は、好ましくは可撓性を備えると共に、薄型テレビ１０を支持するのに十分な所望の引張強度を有する各種の線状部材であって、例えばステンレスワイヤー等のワイヤー、ナイロンロープ等のロープ、針金、チェーン等を用いることができる。本実施形態では、索条体１２は、上部係止レール部材１８と下部係止レール部材２０との間に跨って配設されるのに十分な長さを備えている。索条体１２は、後述するように、その上端部１２ａが上部索条体係着金具１７に係着されてこの上部索条体係着金具１７を介して上部係止レール部材１８にスライド移動可能に固定されると共に、第１索条体係着金具１５及び下部ガイド孔２２に案内されて取付け支持具１３に沿って配設され、その下端部１２ｂが第２索条体係着金具（下部索条体係着金具）１６に係着されてこの第２索条体係着金具１６を介して下部係止レール部材２０にスライド移動可能に固定される。これによって、各索条体１２は、側面視して略等脚台形の軌跡を描くようにして（図２参照）、壁面１１に沿って上下方向に延設した状態で張設されることになる。
【００１８】
また、本実施形態では、壁面取付け構造を構成する取付け支持具１３は、図４（ａ）〜（ｃ）にも示すように、例えばアルミニウム製やスチール製のコの字断面形状を有する幅が３０ｍｍ程度の溝形鋼からなり、これの平坦な中間帯板部１３ａを薄型テレビ１０の背面に沿わせるように固定した状態で、薄型テレビ１０の上下方向の高さに収まる長さで縦方向に帯状に延設して互いに平行に２体配置される。取付け支持具１３の中間帯板部１３ａには、薄型テレビ１０の背面に設けられたボルト螺着孔２３（図２参照）と合致する位置に複数のボルト締着孔２４が開口形成されている。これらのボルト締着孔２４を薄型テレビ１０のボルト螺着孔２３に合致させて、ボルト部材２５を締着することにより、取付け支持具１３が薄型テレビ１０の背面に一体として固定されることになる。
【００１９】
そして、本実施形態では、取付け支持具１３には、その上端部に第１索条体係着金具１５が取り付けられると共に、その下端部分に下部ガイド孔２２が設けられ、また上下２箇所に間隔をおいて配置されて、上端部分及び下端部に、一対の間隔保持脚部１４が各々取り付けられる。
【００２０】
第１索条体係着金具１５としては、索条体１２に対する位置調整機能及び位置固定機能を有する、例えばワイヤーグリップとして知られる公知の各種のワイヤー張設具を用いることができる。これらのワイヤーグリップは、ワイヤーを挿通可能な円筒状部材の中空内部に、ハンガー部材としてのベアリングやシューを配置すると共に、これらのハンガー部材を軸方向に付勢するコイルスプリングを設けておき、コイルスプリングの付勢力によって、中空内部のテーパー面に沿ってハンガー部材を移動させ、ハンガー部材をテーパー面の縮径部分に配置することでワイヤーをグリップさせてワイヤーを固定できるようになっている。またコイルスプリングの付勢力に抗してハンガー部材をテーパー面の拡径部分に移動させることで、固定を解除できるようになっている。これらによって、ワイヤーをグリップする位置を適宜調整できるようになっている。
【００２１】
また、本実施形態では、第１索条体係着金具１５として、シュー型グリップによる面固定と、ベアリング形グリップによる点固定の双方の長所を併せ持った、ハイブリッドタイプのワイヤーグリップを好ましく用いることができる（特願２００８−２２３６８８参照）。このような第１索条体係着金具１５として用いるハイブリッドタイプのワイヤーグリップは、図５（ａ），（ｂ）にも示すように、グリップ本体部２６が、上部の面（シュー）固定機構によるメイングリップ部２６ａと、下部の点（ベアリング）固定機構によるサブグリップ部２６ｂとからなると共に、グリップ本体部２６の上方には、メイングリップ部２６ａの開放操作を行うキャップ２７が、グリップ本体部２６の下方には、サブグリップ部２６ｂの開放操作を行うプルピン２８が各々連設配置された構造となっている。
【００２２】
そして、ハイブリッドタイプのワイヤーグリップによれば、メイングリップ部２６ａのみを解除した仮固定時には、サブグリップ部２６ｂが第１索条体係着金具１５の固定状態を保持すると共に、メイングリップ部２６ａ及びサブグリップ部２６ｂを解除した全解除時には、第１索条体係着金具１５の索条体１２に対する微妙な位置調整を可能にし、メイングリップ部２６ａで索条体１２をグリップした完全固定時には、メイングリップ部２６ａの面固定機構によって荷重を効果的に負担して、高い強度を実現することが可能になる。
【００２３】
さらに、本実施形態では、第１索条体係着金具１５は、そのグリップ本体部２６が例えばＬ字断面形状を有するアルミニウム製やスチール製の山形鋼によるアングル片２９の一方の辺部に接合固定されており、このアングル片２９の他方の辺部をネジ部材を介して取付け支持具１３の中間帯板部１３ａに内側から接合することにより、第１索条体係着金具１５が取付け支持具１３の上端部に強固に支持固定されることになる。
【００２４】
取付け支持具１３の下端部分に設けられる下部ガイド孔２２は、取付け支持具１３の上端部で第１索条体係着金具１５に挿通された索条体１２が、取付け支持具１３に沿ってこれの下端部分まで延設するように案内するガイド孔であって、第１索条体係着金具１５の索条体挿通孔と対向するように配置されて、第１索条体係着金具１５を経て延設する索条体１２が挿通される。本実施形態では、下部ガイド孔２２は、図６（ａ），（ｂ）にも示すように、例えばＬ字断面形状を有するアルミニウム製やスチール製の山形鋼によるアングル片３０の一方の辺部に開口形成されており、このアングル片２８の他方の辺部をネジ部材を介して取付け支持具１３の中間帯板部１３ａに内側から接合することにより、その中心軸を第１索条体係着金具１５の索条体挿通孔の中心軸と合致させた状態で、取付け支持具１３の下端部分に設けられる。また、アングル片２８の一方の辺部の第１索条体係着金具１５と対向する側の面には、下部ガイド孔２２の周囲を囲むようにして、プラスチック樹脂等からなる索条体防護用のクッション材３１が設けられている。
【００２５】
取付け支持具１３に取り付けられる一対の間隔保持脚部１４は、図７に示すように、細長い円筒状の雌ネジロッド部３２と、細長い円柱状の雄ネジロッド部３３と、雄ネジロッド部３３の先端に一体として接合された当接盤部３４とからなり、雌ネジロッド部３２と雄ネジロッド部３３との螺合量を調整することにより、間隔保持脚部１４の全体の長さを適宜調整することができるようになっている。また、間隔保持脚部１４は、その雌ネジロッド部３２が、コの字断面形状の取付け支持具１３の一対の対向辺１３ｂの内側に納まる大きさの、コの字断面形状を有する支持片３５に、一体として接合固定されている。コの字断面形状の支持片３５の一対の対向辺３５ｂを、各々取付け支持具１３のコの字断面形状の一対の対向辺１３ｂの内側に沿わせて配置し、各対向辺同士をリベットを介して接合することにより、間隔保持脚部１４は、その当接盤部３４を薄型テレビ１０とは反対側の壁面１１に向けて突出させた状態で、取付け支持具１３の上端部分及び下端部の上下２箇所に一体として接合固定されることになる（図２参照）。
【００２６】
そして、本実施系形態では、索条体１２の上端部１２ａは、上部索条体係着金具１７を介して壁面１１における薄型テレビ１０の取付け位置の上方に固定されるようになっており、索条体１２の下端部１２ｂは、索条体１２に対する位置調整機能及び位置固定機能を有する第２索条体係着金具（下部索条体係着金具）１６を介して壁面１１における薄型テレビ１０の取付け位置の下方に固定されるようになっている。また、これらの上部索条体係着金具１７や第２索条体係着金具１６は、薄型テレビ１０の取付け位置の上方や下方に設けられた上部係止レール部材１８や下部係止レール部材２０のスライド係止溝１９，２１に沿って、横方向にスライド可能に係止されており、上部索条体係着金具１７や第２索条体係着金具１６の固定位置を、左右方向にスライドさせて容易に位置調整することができるようにうなっている。
【００２７】
ここで、上部索条体係着金具１７は、例えば本願出願人の出願に係る特願２００９−１５４１８５に記載の第１索条体係着金具と略同様の構成を備えるものであり、図８（ａ），（ｂ）に示すように、略長円の平面形状を有する索条体係着部１７ａと、矩形の一対の対向する角部を斜面として斜めに切り欠いた６角形の平面形状を有する差込係着盤部１７ｂとを、これらの長軸が垂直に交差するように配置して中間首部１７ｃを介して接合一体化させた立体形状を有している。上部索条体係着金具１７の索条体係着部１７ａには、公知の各種の係着手段を介して、索条体１２の上端部１２ａの先端部分が、索条体係着部１７ａから抜けないように係着係止されている。
【００２８】
そして、上部索条体係着金具１７は、特願２００９−１５４１８５に記載の第１索条体係着金具と同様に、長辺間の幅ｂが、上部係止レール部材１８のスライド係止溝１９の幅ｂ’と略同じ幅となっている差込係着盤部１７ｂを、スライド係止溝１９に挿入して９０度回転させることにより、当該差込係着盤部１７ｂのテーパー面（図示せず）やワッシャー部材（図示せず）の作用によって、上部係止レール部材１８の所定の位置に索条体係着金具１７を強固に固定することができるようになっている。
【００２９】
また、このような固定状態から、上部索条体係着金具１７を逆方向に９０度回転させれば、固定状態が開放されて上部索条体係着金具１７が上部係止レール部材１８に沿ってスライド移動可能な状態になるので、上部索条体係着金具１７をスライド係止溝１９を介して所定の位置に移動させた後に、再度固定状態とすることによって、上部索条体係着金具１７の上部係止レール部材１８に沿った固定位置を、容易に位置調整することが可能になる。
【００３０】
位置調整機能及び位置固定機能を有する第２索条体係着金具１６もまた、例えば本願出願人の出願に係る特願２００９−１５４１８５に記載の第２索条体係着金具と略同様の構成を備えるものであり、図９に示すように、円筒状係着部１６ａと円柱状基部１６ｂと中間首部１６ｃと差込係着盤部１６ｄとによって構成される。円筒状係着部１６ａは、円柱状基部１６ｂに対して一軸回転可能にピン結合されており、また索条体１２の下端部１２ｂを、リリースパイプ３６を介して内部に挿通した後に、側面に開口形成された導出孔３７から外側に引き出した状態で係着することができるようになっている。円筒状係着部１６ａは、例えば登録実用新案第３１２２２８８号公報に記載されるような、内部に設けられたチャック機構やリリースパイプ３６等からなる公知の長さ調整機構を備えており、張設長さを調整可能な状態で索条体１２の下端部１２ｂを係着して、索条体１２が所定を張力を保持して張設されるようにすることができるようになっている。
【００３１】
また、第２索条体係着金具１９の円柱状基部１６ｂは、上述の上部索条体係着金具１７の中間首部１７ｃや差込係着盤部１７ｂと同様の構成を備える中間首部１６ｃ及び差込係着盤部１６ｄと一体として形成されており、上部索条体係着金具１７と同様に、差込係着盤部１６ｄを、下部係止レール部材２０のスライド係止溝２１に挿入して９０度回転させることにより、下部係止レール部材２０の所定の位置に第２索条体係着金具１６を強固に固定することができるようになっている。また固定状態から第２索条体係着金具１６を逆方向に９０度回転させれば、固定状態が開放されて第２索条体係着金具１６が下部係止レール部材２０に沿ってスライド移動可能な状態になるので、第２索条体係着金具１６の下部係止レール部材２０に沿った固定位置を、容易に位置調整することが可能になる。
【００３２】
上部索条体係着金具１７や第２索条体係着金具１６をスライド移動可能に係着させる上部係止レール部材１８や下部係止レール部材２０もまた、例えば本願出願人の出願に係る特願２００９−１５４１８５に記載の上部係止レール部材や下部係止レール部材と略同様の構成を備えるものであり、好ましくはアルミニウム製の押出し成形品であって、図８（ｂ）及び図９に示すような断面形状を有する、長尺の帯状部材として形成される。上部係止レール部材１８や下部係止レール部材２０は、これの背面密着板１８ａ，２０ａに長手方向に所定の間隔をおいて複数形成された固定孔１８ｂ，２０ｂを介して、壁面１１に向けて例えば固定ビスを打ち込むことにより、壁面１１に沿って横方向に水平に延設して取り付けられる（図１参照）。これによって、上部係止レール部材１８や下部係止レール部材２０の幅方向中央部分には、スライド係止溝１９，２１が、横方向に水平に延設して表面側に向けて開口することになる。このスライド係止溝１９，２１には、上部索条体係着金具１７や第２索条体係着金具１６が、着脱可能に且つスライド移動可能に係着されることになる。
【００３３】
上述の構成を有する本実施形態の壁面取付け構造を用いて薄型テレビ１０を室内の壁面に沿って設置するには、図２に示すように、例えば薄型テレビ１０の背面に取付け支持具１３を取り付け、索条体１２の上端部１２ａを係着した上部索条体係着金具１７を上部係止レール部材１８に沿った所定の位置に固定する。また、索条体１２の他端部側を、取付け支持具１３に設けた第１索条体係着金具１５及び下部ガイド孔２２に挿通して、索条体１２を取付け支持具１３に沿って延設させると共に、下部ガイド孔２２を経て下方に延設する索条体１２の下端部１２ｂを第２索条体係着金具（下部索条体係着金具）１６に係着させた状態で、当該上部索条体係着金具１７を下部係止レール部材２０に沿った所定の位置に固定する。さらに、第２索条体係着金具１６を介して、索条体１２が上部係止レール部材１８と下部係止レール部材２０との間で張設される長さを調整すると共に、間隔保持脚部１４の当接盤部３４を壁面１１に密着当接させた状態において、索条体１２が所定の張力で張設されるように調整する。
【００３４】
しかる後に、第１索条体係着金具１５を操作して、索条体１２に沿った薄型テレビ１０の高さ方向の位置を当該薄型テレビ１０を上下方向にスライド移動させながら調整する。薄型テレビ１０を所定の高さ位置に設置したら、第１索条体係着金具１５を固定状態とし、さらに第２索条体係着金具１６を介して索条体１２の張力を調整することによって、薄型テレビ１０の設置作業が終了する。
【００３５】
そして、本実施形態のディスプレイ物品の壁面取付け構造によれば、ディスプレイ物品として、薄型テレビ１０を壁面１１に簡易に且つ安価に設置することができると共に、インテリアとしての美観に優れており、またディスプレイ物品の位置調整が容易で、安定性や耐震性にも優れる。
【００３６】
すなわち、本実施形態によれば、上下の端部に上部索条体係着金具１７や下部索条体係着金具１６を備える索条体１２と、薄型テレビ１０の背面側に固定される取付け支持具１３と、上部係止レール部材１８及び下部係止レール部材２０とによって簡易に構成できると共に、上述のような簡易な作業によって、薄型テレビ１０を壁面１１の所定の高さ位置に容易に設置することが可能になる。
【００３７】
また、室内の壁面１１に現れる部分は、索条体１２の部分や、上部係止レール部材１８及び下部係止レール部材２０の部分のみとなって、インテリアとしての美観に優れた簡素なデザインを表出することが可能になる。なお、上部係止レール部材１８や下部係止レール部材２０は、回り縁や巾木を兼ねるようにすることもでき、これによってインテリアとしての美観を一層向上させることが可能になる。
【００３８】
さらに、索条体１２は、上部係止レール部材１８から、第１索条体係着金具１５及び下部ガイド孔２２を介して下部係止レール部材２０まで延設することにより、間隔保持脚部１４の当接盤部３４を壁面１１に密着当接させた状態で、取付け支持具１３に沿った部分を上辺とする略等脚台形の軌跡を描くように張設されると共に、第２索条体係着金具１６によって所定の張力が保持されるようになっているので、間隔保持脚部１４の当接盤部３４を壁面１１に押し付ける力が有効に作用し、強固な取付け構造を構成することになって安定性や耐震性を効果的に向上させることが可能になる。
【００３９】
さらにまた、本実施形態では、上部索条体係着金具１７や下部索条体係着金具１６が上部係止レール部材１８や下部係止レール部材２０に沿ってスライド移動可能に固定されるようになっているので、壁面１１に沿った薄型テレビ１０の左右方向の取り付け位置も、容易に調整することが可能になる。
【００４０】
図１０は、本発明の他の実施形態に係るディスプレイ物品の壁面取付け構造を、ディスプレイ物品を省略して示す要部側面図である。図１０に示す壁面取付け構造では、索条体１２は、壁面１１におけるディスプレイ物品の取付け位置の上方と下方との間に跨って連続して設けられるのではなく、分断された状態で、ディスプレイ物品の取付け位置の上方の壁面１１と取付け支持具１３の上端部との間、及びディスプレイ物品の取付け位置の下方の壁面１１と取付け支持具１３の下端部との間に設けられている。すなわち、本他の実施形態では、取付け支持具１３の上端部には、索条体１２に対する位置調整機能及び位置固定機能を有する上述の第１索条体係着金具１５と同様の第３索条体係着金具３６が取り付けられており、この第３索条体係着金具３６と壁面１１におけるディスプレイ物品の上方の固定位置との間で、上側の索条体１２が張設長さを調整可能に張設されることになる。また、取付け支持具１３の下端部には、索条体１２に対する位置調整機能及び位置固定機能を有する上述の第２索条体係着金具１６と同様の第４索条体係着金具３７が取り付けられており、この第４索条体係着金具３７と壁面１１におけるディスプレイ物品の下方の固定位置との間で、下側の索条体１２が張設長さを調整可能に張設されることになる。
【００４１】
そして、図１０に示す壁面取付け構造によっても、第３索条体係着金具３６や第４索条体係着金具３７を操作することで、索条体１２に沿ったディスプレイ物品の高さ方向の位置を調整することが可能になって、上記実施形態と同様の作用効果を奏することになる。なお、分断された上側及や下側の索条体１２の一端部を、壁面１１の固定位置に、第３索条体係着金具３６や第４索条体係着金具３７を介して取り付けると共に、各索条体１２の他端部を取付け支持具１３の上端部や下端部に直接係着して壁面取付け構造を構成した場合にも、上記実施形態と同様の作用効果を奏することになる。
【００４２】
また、本他の実施形態では、取付け支持具１３に設けられた間隔保持脚部１４は、高ナット３８を介して取付け支持具１３に一体として取り付けられている。間隔保持脚部１４が高ナット３８を介して取付け支持具１３に取り付けられていることにより、横揺れ時に高ナット３８や雄ネジロッド部３３に大きな負荷がかかっても、これらが曲るのを効果的に防止することが可能になる。さらに、本他の実施形態では、間隔保持脚部１４は、キャスター３９を介して壁面１１に当接させるようになっている。間隔保持脚部１４をキャスター３９を介して壁面１１に当接させることにより、横揺れ時に壁面１１が間隔保持脚部１４によって擦り付けられて損傷するの効果的に回避することが可能になる。さらにまた、本他の実施形態では、索条体１２に対する位置調整機能及び位置固定機能を有する第３索条体係着金具３６や第４索条体係着金具３７は、取付け支持具１３に取り付けられてディスプレイ物品の背後に配置されるので、より操作がし易くなると共に、余った索条体１２をディスプレイ物品の裏側に隠してスッキリした美観を得ることが可能になる。
【００４３】
なお、本発明は上記各実施形態に限定されることなく種々の変更が可能である。例えば、壁面に上部係止レール部材や下部係止レール部材を設けると共に、索条体係着金具をこれらに沿ってスライド移動可能として、ディスプレイ物品の横方向への取付け位置も調整可能とする必要は必ずしもなく、索条体の壁面における左右方向への取付け位置を固定して、ディスプレイ物品の上下方向の取付け位置の調整のみを行えるようにすることもできる。また、本発明の壁面取付け構造によって壁面に取り付けられるディスプレイ物品は、薄型テレビに限定されるものではなく、例えばパソコンディスプレイ、絵画、ポスターパネル、スクリーン、ホワイトボード、壁面収納ボックス等の種々の物品を壁面に取り付けるために、本発明の壁面取付け構造を採用することが可能である。
【符号の説明】
【００４４】
１０  薄型テレビ（ディスプレイ物品）
１１  壁面
１２  索条体
１２ａ  索条体の上端部
１２ｂ  索条体の上端部
１３  取付け支持具
１４  間隔保持脚部
１５  第１索条体係着金具
１６  第２索条体係着金具（下部索条体係着金具）
１７  上部索条体係着金具
１８  上部係止レール部材
１９，２１  スライド係止溝
２０  下部係止レール部材
２２  下部ガイド孔
３１  クッション材
３４  間隔保持脚部の当接盤部
【図１】
2011066841.tif 000003
【図２】
2011066841.tif 000004
【図３】
2011066841.tif 000005
【図４】
2011066841.tif 000006
【図５】
2011066841.tif 000007
【図６】
2011066841.tif 000008
【図７】
2011066841.tif 000009
【図８】
2011066841.tif 000010
【図９】
2011066841.tif 000011
【図１０】
2011066841.tif 000012